【手続補正書】
【提出日】令和3年8月24日(2021.8.24)
【手続補正１】
【補正対象書類名】特許請求の範囲
【補正対象項目名】全文
【補正方法】変更
【補正の内容】
【特許請求の範囲】
【請求項１】
ユーザ機器によって実行されるワイヤレス通信の方法であって、
帯域が同期信号ブロックの送信のために第1のヌメロロジーおよび第2のヌメロロジーに関連付けられていると識別するステップと、
前記帯域の複数の周波数ロケーションに関するデータを含む格納データを使用して前記第1のヌメロロジーまたは前記第2のヌメロロジーの同期信号ブロックを検出するために同期スキャンを実行するステップであって、
前記同期スキャンが、前記第1のヌメロロジーに関連付けられた、前記複数の周波数ロケーションのうちの周波数ロケーションの第1のセットに関して実行され、
前記同期スキャンが、前記第2のヌメロロジーに関連付けられた、前記複数の周波数ロケーションのうちの周波数ロケーションの第2のセットに関して実行され、
前記周波数ロケーションの第2のセットが、前記複数の周波数ロケーションのうちの周波数ロケーションの固有のサブセットを含む、ステップと
を備える方法。
【請求項２】
前記同期信号ブロックが、1次同期信号(PSS)、2次同期信号(SSS)、3次同期信号(TSS)、または物理ブロードキャストチャネル(PBCH)のうちの少なくとも1つを含み、
前記第1のヌメロロジーが第1のサブキャリア間隔に関連付けられ、前記第2のヌメロロジーが第2のサブキャリア間隔に関連付けられる、請求項1に記載の方法。
【請求項３】
前記周波数ロケーションの第1のセットが、前記複数の周波数ロケーションのうちのすべての周波数ロケーションを含む、請求項1または2に記載の方法。
【請求項４】
前記周波数ロケーションの第1のセットが、前記周波数ロケーションの第2のセットと重複せず、
前記周波数ロケーションの第1のセットのうちの周波数ロケーションが、前記周波数ロケーションの第2のセットのうちの周波数ロケーションと交互になっており、
前記帯域が周波数に関連付けられ、
前記周波数ロケーションの第1のセットが、前記周波数からの奇数周波数オフセットまたは前記周波数からの偶数周波数オフセットのうちの一方に関連付けられ、
前記周波数ロケーションの第2のセットが、前記奇数周波数オフセットまたは前記偶数周波数オフセットのうちの他方に関連付けられる、
請求項1または2に記載の方法。
【請求項５】
前記第1のヌメロロジーおよび前記第2のヌメロロジーが、前記帯域に関連付けられた複数のヌメロロジーのうちのものであり、
前記複数のヌメロロジーが、周波数ロケーションのそれぞれの重複しないセットに関連付けられ、
前記格納データが、前記複数の周波数ロケーションを識別し、前記複数の周波数ロケーションに関連付けられたそれぞれのヌメロロジーを示し、
前記格納データが、周波数ロケーション当たり1つのヌメロロジーを識別する、
請求項1または2に記載の方法。
【請求項６】
前記複数の周波数ロケーションのうちの周波数ロケーションが、前記複数の周波数ロケーションの間隔を識別する同期ラスタに従って決定され、
前記周波数ロケーションの第1のセットが、第1の間隔に関連付けられ、前記周波数ロケーションの第2のセットが、前記第1の間隔とは異なる第2の間隔に関連付けられる、請求項1から5のいずれか一項に記載の方法。
【請求項７】
前記ユーザ機器が非スタンドアロンモードであり、
前記複数の周波数ロケーションのうちの周波数ロケーションが、前記ユーザ機器によって受信された指示に関して前記同期ラスタに従って決定され、前記指示が、前記同期ラスタが前記非スタンドアロンモードで前記複数の周波数ロケーションを決定するために使用されるべきであることを示す、
請求項6に記載の方法。
【請求項８】
前記同期スキャンが、第1のパターンを使用して前記周波数ロケーションの第1のセットに関して実行され、前記同期スキャンが、第2のパターンを使用して前記周波数ロケーションの第2のセットに関して実行され、
前記第1のパターンが前記第1のヌメロロジーに対応し、前記第2のパターンが前記第2のヌメロロジーに対応する、請求項1から7のいずれか一項に記載の方法。
【請求項９】
前記格納データが、前記ユーザ機器と、前記ユーザ機器が接続されるネットワークとの間で共有される、請求項1から8のいずれか一項に記載の方法。
【請求項１０】
ワイヤレス通信のための装置であって、
帯域が同期信号ブロックの送信のために第1のヌメロロジーおよび第2のヌメロロジーに関連付けられていると識別するための手段と、
前記帯域の複数の周波数ロケーションに関するデータを含む格納データを使用して前記第1のヌメロロジーまたは前記第2のヌメロロジーの同期信号ブロックを検出するために同期スキャンを実行するための手段であって、
前記同期スキャンが、前記第1のヌメロロジーに関連付けられた、前記複数の周波数ロケーションのうちの周波数ロケーションの第1のセットに関して実行され、
前記同期スキャンが、前記第2のヌメロロジーに関連付けられた、前記複数の周波数ロケーションのうちの周波数ロケーションの第2のセットに関して実行され、
前記周波数ロケーションの第2のセットが、前記複数の周波数ロケーションのうちの周波数ロケーションの固有のサブセットを含む、手段と
を備える、装置。
【請求項１１】
前記同期信号ブロックが、1次同期信号(PSS)、2次同期信号(SSS)、3次同期信号(TSS)、または物理ブロードキャストチャネル(PBCH)のうちの少なくとも1つを含み、
前記第1のヌメロロジーが第1のサブキャリア間隔に関連付けられ、前記第2のヌメロロジーが第2のサブキャリア間隔に関連付けられる、請求項10に記載の装置。
【請求項１２】
前記複数の周波数ロケーションのうちの周波数ロケーションが、前記複数の周波数ロケーションの間隔を識別する同期ラスタに従って決定され、
前記周波数ロケーションの第1のセットが、第1の間隔に関連付けられ、前記周波数ロケーションの第2のセットが、前記第1の間隔とは異なる第2の間隔に関連付けられる、請求項10または11に記載の装置。
【請求項１３】
前記装置が非スタンドアロンモードであり、
前記複数の周波数ロケーションのうちの周波数ロケーションが、ユーザ機器によって受信された指示に関して前記同期ラスタに従って決定され、前記指示が、前記同期ラスタが前記非スタンドアロンモードで前記複数の周波数ロケーションを決定するために使用されるべきであることを示す、
請求項12に記載の装置。
【請求項１４】
前記同期スキャンが、第1のパターンを使用して前記周波数ロケーションの第1のセットに関して実行され、前記同期スキャンが、第2のパターンを使用して前記周波数ロケーションの第2のセットに関して実行され、
前記第1のパターンが前記第1のヌメロロジーに対応し、前記第2のパターンが前記第2のヌメロロジーに対応する、請求項10から13のいずれか一項に記載の装置。
【請求項１５】
ワイヤレス通信のための1つまたは複数の命令を記憶するコンピュータ可読記憶媒体であって、前記1つまたは複数の命令が、
ユーザ機器(UE)の1つまたは複数のプロセッサによって実行されると、前記1つまたは複数のプロセッサに、
帯域が同期信号ブロックの送信のために第1のヌメロロジーおよび第2のヌメロロジーに関連付けられていると識別することと、
前記帯域の複数の周波数ロケーションに関するデータを含む格納データを使用して前記第1のヌメロロジーまたは前記第2のヌメロロジーの同期信号ブロックを検出するために同期スキャンを実行することであって、
前記同期スキャンが、前記第1のヌメロロジーに関連付けられた、前記複数の周波数ロケーションのうちの周波数ロケーションの第1のセットに関して実行され、
前記同期スキャンが、前記第2のヌメロロジーに関連付けられた、前記複数の周波数ロケーションのうちの周波数ロケーションの第2のセットに関して実行され、
前記周波数ロケーションの第2のセットが、前記複数の周波数ロケーションのうちの周波数ロケーションの固有のサブセットを含む、ことと
を行わせる1つまたは複数の命令を備える、コンピュータ可読記憶媒体。